(57)【要約】【課題】液体中に粒子を均一で良好な分散状態にさせるのに迅速且つ優れた効果があるホモジナイザーを提供することを目的とする【解決手段】液体収納容器２１２を保持するための容器保持装置２１を支持して左右往復に振ることができる揺動装置は前記容器保持装置を左右両方の下から捧げて支持し、且つ、両方の少なくとも一つが前記容器保持装置上の所定範囲内に左右移動できるように拘束されている左右２の支持装置２２，２３と、その駆動軸２４１がクランク２４２を介して前記左右２の支持手段の前記一つと連結していて該駆動軸の回転により該一つの支持装置を左右上下に移動させることができるモータ２４とからなる。【選択図】    図１
2007136418.tif 000002
【特許請求の範囲】
【請求項１】
液体収納容器を保持するための容器保持手段と、
前記容器保持手段を支持して左右往復に振ることができるように構成されている揺動手段とからなっていることを特徴とするホモジナイザー。
【請求項２】
液体収納容器を保持するための容器保持手段と、
それぞれが前記容器保持手段を左右両方の下から捧げて支持し、且つ、両方の少なくとも一つが前記容器保持手段上の所定範囲内に左右移動できるように拘束されている左右２の支持手段と、
その駆動軸がクランクを介して前記左右２の支持手段の前記一つと連結していて該駆動軸の回転により該一つの支持手段を左右上下に移動させることができるモータとからなっており、
それにより、前記モータの駆動で該一つの支持手段を介して前記容器保持手段の左右一方を左右上下に移動させ、その全体を左右の方向に往復に振ることができることを特徴とするホモジナイザー。
【請求項３】
前記右の支持手段は前記容器保持手段の直下に、前記左の支持手段は前記容器保持手段の左の方に、前記容器保持手段の底面からそれぞれ延伸してなった左延び板と下延び板を介して前記容器保持手段を下から支持するように配置構成されており、
前記下延び板に、左右所定範囲内に延伸している通孔が開けてあり、また前記右の支持手段が前記通孔内に摺動可能に挿入しており、
それにより、前記右の支持手段は前記所定範囲内に左右移動できるように拘束されていることを特徴とする請求項２に記載のホモジナイザー。
【請求項４】
前記左の支持手段は、前後の方向に延伸して下から前記左延び板を捧げるように配置されている回転軸であることを特徴とする請求項３に記載のホモジナイザー。
【請求項５】
前記左延び板は前記左の支持手段としての回転軸に固定されていて該回転軸の回転性により前記容器保持手段の振られることに伴って左右揺動することができることを特徴とする請求項４に記載のホモジナイザー。
【請求項６】
前記容器保持手段は開閉可能な外容器であり、また、他に前記外容器の中に穏やかに収納されるサイズを有する液体収納容器が付設されていることを特徴とする請求項１〜５のいずれか一項に記載のホモジナイザー。
【発明の詳細な説明】
【技術分野】
【０００１】
本発明は、液体中に粒子を均一に分散させるためのホモジナイザーに関する。
【背景技術】
【０００２】
食品や化学、半導体・液晶ディスプレー相関の生産工場で飲料、塗料、研磨液などの懸濁液を製造する時、また、こういう懸濁液が長時間放置すると、沈殿現象が発生するので、再び使用する際にまず液体中に沈殿、凝集した粒子を均一に分散させなければならない時に、通常、ホモジナイザーが使用されている。
【０００３】
従来、もっとも知られているこの種のホモジナイザー１は図５に示すように、駆動装置１５と、該駆動装置１５に回転駆動される左右一対の回転軸１３、１３と、該左右一対の回転軸１３、１３により斜めに支持装着されていて懸濁液収納容器１０を保持する保持筐体１４とを備えている。このホモジナイザー１は、左右一対の回転軸１３、１３が駆動装置１５に回転駆動されると、懸濁液収納容器１０を保持した保持筐体１４も前記回転とともに、図６に示すような軌跡をする回転を行い、懸濁液収納容器１０内の懸濁液を反回転方向に流動させながらその軸線上の両端に起こった上下動で水平面の揺動を起こしてその中の粒子を均一に分散させることができる。
【０００４】
ところが、前記のようなホモジナイザー１での、懸濁液収納容器１０の回転により懸濁液に形成される所定方向の流れ及び揺動とともに粒子を分散させる方式は、その流れ及び揺動の力が小さいから粘度の低い粒子または凝集体にしか対応できず、特に、半導体プロセス中のガラス基板研磨に用いられる研磨液のような粘度の高い懸濁液に対し、分散にかかる時間が長くて、分散効果が非常に悪いので、現場からは改善せよという要望が絶え間なく継続していた。
【発明の開示】
【発明が解決しようとする課題】
【０００５】
本発明は、前記問題に鑑みてなされたもので、液体中に粒子を均一で良好な分散状態にさせるのに迅速且つ優れた効果があるホモジナイザーを提供することを目的とする。
【課題を解決するための手段】
【０００６】
前記目的を達成するために、本発明は、液体収納容器を保持するための容器保持手段と、前記容器保持手段を支持して左右往復に振ることができるように構成されている揺動手段とからなっていることを特徴とするホモジナイザーを提供する。
【０００７】
前記揺動手段の実施形態として、それぞれが前記容器保持手段を左右両方の下から捧げて支持し、且つ、両方の少なくとも一つが前記容器保持手段上の所定範囲内に左右移動できるように拘束されている左右２の支持手段と、その駆動軸がクランクを介して前記左右２の支持手段の前記一つと連結していて該駆動軸の回転により該一つの支持手段を左右上下に移動させることができるモータとからなっている。
【発明の効果】
【０００８】
前記構造によるホモジナイザーでは、前記容器保持手段を支持して左右往復に、即ち前記モータの駆動で支持手段の一つを介して前記容器保持手段の対応の一方を左右上下に移動させ、その全体を左右の方向に往復に振ることにより、前記液体収納容器内の液体を往復に流せ、それにより、往復動それぞれの流れにより容器内壁に粘着している沈殿物などに衝撃を与えるのみならず、往復中にも反対方向の水流が起こって互いに激動し波を起こすので、沈殿物などに対する衝撃力が一層激しくなり、粘度がどんなに高い沈殿物であっても、それを確実に且つ素早く取外して均一に分散させることができる。
【発明を実施するための最良の形態】
【０００９】
以下、添付図面に基づいて本発明のホモジナイザーを詳細に説明する。図１は、本発明のホモジナイザーの好ましい実施形態が支持筐体に設置された状態を示す一部切り欠きの斜視図である。図２は、図１における右支持手段と容器保持手段とモータとの構成関係を示す部分拡大図である。図３は、ホモジナイザーの作動を説明するための、図１を正面から見た部分縦断面図である。図４は、ホモジナイザーの作動を説明するための、図１における容器保持手段が左上がりに振られた状態を示す正面図である。
【００１０】
図１に示すように、本発明のホモジナイザー２は、箱状の支持筐体３内に設置されている。該ホモジナイザー２は、主として、容器保持手段２１と、左右２の支持手段２２、２３と、モータ２４とからなっている。
【００１１】
容器保持手段２１は、開閉可能な外容器２１１であり、また、これには他に外容器２１１の中に穏やかに収納されるサイズを有する液体収納容器２１２が付設されている。また、外容器２１１の底面から左に延びる左延び板２１３と、左右所定範囲内に延伸している通孔２１４Ａが開けてある下延び板２１４とがそれぞれ延伸している。液体収納容器２１２は、前述のような飲料、塗料、研磨液などの懸濁液４を収納することができる。ちなみに、本発明のホモジナイザーを使用する時は、懸濁液４を液体収納容器２１２に充満しない状態（例えば、図３に参照）で収納した方がよい。
【００１２】
左右２の支持手段２２、２３は、右支持手段２３は容器保持手段２１の直下に、左支持手段２２は容器保持手段の左の方に、それぞれ前記左延び板２１３及び下延び板２１４を介して容器保持手段２１を下から支持するように配置構成されている。
【００１３】
また、右支持手段２３が通孔２１４Ａ内に摺動可能に挿入して容器保持手段２１上の前記左右所定範囲内に左右移動できるように拘束されている。
【００１４】
更に、左支持手段２２は、前後の方向に延伸して下から左延び板２１３を捧げるように配置されている回転軸２２’であり、且つ左延び板２１３は該左支持手段２２としての回転軸２２’に固定（ねじ止めや図示の半田付けなどの固定手段で）されていて、該回転軸２２’の回転性により容器保持手段２１が振られることに伴って少々左右揺動することができるようになっている。
【００１５】
モータ２４は、図２に示すように、その駆動軸２４１がクランク２４２を介して右支持手段２３と連結していて、該駆動軸２４１の回転により右支持手段２３を左右上下に移動させることができる。
【００１６】
前記構造により、前記左支持手段２２を基軸としながらモータ２４の駆動で右支持手段２３を介して容器保持手段２１の右の方を左右上下に移動させ、その容器保持手段２１全体を左右の方向に往復に振る。即ち、図３の位置から矢印Ａの示す方向へ図４の左上がりの傾斜位置に持ち上げ、そして図４の左上がりの傾斜位置から矢印Ｂの示す方向へ図３の位置に戻すというサイクルを行なうことができる。そうすると、液体収納容器２１２内の懸濁液４を往復に流せ、該往復動それぞれの流れにより容器内壁に粘着している沈殿物４１などに衝撃を与える上、往復中にも反対方向の水流が同時に起こって互いに激動し波を起こすので、沈殿物４１などに対する衝撃力が一層激しくなり、粘度がどんなに高い沈殿物４１であっても、それを確実に且つ素早く取外して均一に分散させることができる。
【００１７】
なお、本発明は、前述した実施形態のものに限定されるものではなく、本発明の要旨を逸脱しない範囲において種々の変形が可能がある。例えば、前述した実施形態においては、ホモジナイザー２が箱状の支持筐体３内に設置されている状態を説明したが、この支持筐体３を使用しなくても良く、即ち、ホモジナイザー２それ自体を適当に設置すれば前記作動及び機能を果たすことができる。
【産業上の利用可能性】
【００１８】
本発明のホモジナイザーによれば、液体中に粒子を均一で良好な分散状態にさせるのに迅速且つ優れた効果がある。
【図面の簡単な説明】
【００１９】
【図１】本発明のホモジナイザーの好ましい実施形態が支持筐体に設置された状態を示す一部切り欠きの斜視図。
【図２】図１における右支持手段と容器保持手段とモータとの構成関係を示す部分拡大図。
【図３】ホモジナイザーの作動を説明するための、図１を正面から見た部分縦断面図。
【図４】ホモジナイザーの作動を説明するための、図１における容器保持手段が左上がりに振られた状態を示す正面図。
【図５】従来のホモジナイザーの構成を示す断面図。
【図６】図５の従来のホモジナイザーの回転軌跡を示す図。
【符号の説明】
【００２０】
２…………ホモジナイザー
２１………容器保持手段
２１１……外容器
２１２……液体収納容器
２１３……左延び板
２１４……下延び板
２１４Ａ…通孔
２２………左支持手段
２２’……回転軸
２３………右支持手段
２４………モータ
２４１……駆動軸
２４２……クランク
３…………支持筐体
４…………懸濁液
４１………沈殿物
【図１】
2007136418.tif 000003
【図２】
2007136418.tif 000004
【図３】
2007136418.tif 000005
【図４】
2007136418.tif 000006
【図５】
2007136418.tif 000007
【図６】
2007136418.tif 000008